【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
周期的に運動する被検体の心臓を超音波で走査し、前記周期的運動に関する時相毎に取得されたボリュームデータを記憶する記憶手段と、
前記ボリュームデータのうち、所定時相におけるボリュームデータに含まれる心筋組織に対応する領域に、少なくとも一つの短軸断面を設定する設定手段と、
前記少なくとも一つの短軸断面に心筋組織に対応した複数の関心領域を設定し、前記各関心領域についての位置の時間的変化を追跡する追跡処理を実行し、前記複数の関心領域それぞれの追跡結果を用いて前記短軸断面の位置を更新することで前記所定の時相以外における前記短軸断面の位置を追跡する追跡手段と、
前記ボリュームデータのうち、前記所定の時相以外における前記短軸断面に対応するデータを用いて、前記所定の時相以外における第１の超音波画像を生成する画像生成手段と、
前記第１の超音波画像を表示する表示手段と、
を具備することを特徴とする超音波診断装置又は超音波画像処理装置。
【請求項２】
前記少なくとも一つの短軸断面における二次元的なパターンマッチングにより、前記少なくとも一つの短軸断面における心壁の壁運動情報を得る運動情報演算手段を更に備え、
前記画像生成手段は前記少なくとも一つの短軸断面において前記壁運動情報をマッピングした画像を前記第１の超音波画像として生成すること、
を特徴とする請求項１記載の超音波診断装置又は超音波画像処理装置。
【請求項３】
前記設定手段は前記ボリュームデータに含まれる心筋組織に対応する領域に、複数の長軸断面を設定し、
前記追跡手段は、前記各長軸断面内における心尖部の位置を設定し、前記各長軸断面内の弁輪部位を関心領域とした追跡処理を、前記複数の長軸断面それぞれについて実行し、前記心尖部の位置と追跡された前記弁輪部位の位置それぞれとに基づいて、前記少なくとも一つの短軸断面の位置を追跡することを特徴とする請求項１又は２記載の超音波診断装置又は超音波画像処理装置。
【請求項４】
前記設定手段は前記ボリュームデータに含まれる心筋組織に対応する領域に、複数の長軸断面を設定し、
前記追跡手段は、前記各長軸断面内における前記少なくとも一つの短軸断面に対応する位置を設定し、前記対応する位置を関心領域として追跡処理を、前記複数の長軸断面それぞれについて実行し、追跡された前記対応する位置それぞれに基づいて、前記少なくとも一つの短軸断面の位置を追跡することを特徴とする請求項１又は２記載の超音波診断装置又は超音波画像処理装置。
【請求項５】
前記画像生成手段は、前記第１の超音波画像として、組織形態画像及び運動情報画像の少なくとも一方を生成することを特徴とする請求項１乃至４のうちいずれか一項記載の超音波診断装置又は超音波画像処理装置。
【請求項６】
前記画像生成手段は、レンダリングを含む処理により前記第１の超音波画像を生成することを特徴とする請求項１乃至５のうちいずれか一項記載の超音波診断装置又は超音波画像処理装置。
【請求項７】
前記画像生成手段は、前記ボリュームデータを用いて、前記第１の超音波画像とは異なる第２の超音波画像を時相毎に生成し、
前記表示手段は、前記第２の超音波画像を、前記第１の超音波画像の位置を示すマーカと共に表示すること、
を特徴とする請求項１乃至６のうちいずれか一項記載の超音波診断装置又は超音波画像処理装置。
【請求項８】
前記表示手段は、前記第２の超音波画像を、異なる時相に対応する複数の前記第１の超音波画像の位置を示すマーカと共に表示することを特徴とする請求項７記載の超音波診断装置又は超音波画像処理装置。
【請求項９】
前記表示手段は、前記第１の超音波画像を、前記第２の超音波画像の位置を示すマーカと共に表示すること、を特徴とする請求項７記載の超音波診断装置又は超音波画像処理装置。
【請求項１０】
前記表示手段は、前記第１の超音波画像を、異なる時相に対応する複数の前記第２の超音波画像の位置を示すマーカと共に表示することを特徴とする請求項９記載の超音波診断装置又は超音波画像処理装置。
【請求項１１】
前記被検体は心臓であり、
前記画像生成手段は、前記第１の画像として、前記時相毎の任意断面に対応するデータに基づいて、前記被検体の運動情報が心尖部を極点として極座標へ展開された運動情報画像を生成すること、
を特徴とする請求項１乃至１０のうちいずれか一項記載の超音波診断装置又は超音波画像処理装置。
【請求項１２】
前記追跡手段は、追跡した前記少なくとも一つの短軸断面を任意の形状に変形し、
前記画像生成手段は、前記ボリュームデータのうち、前記所定の時相以外における変形後の前記短軸断面に対応するデータを用いて、前記所定の時相以外における第１の超音波画像を生成すること、
を特徴とする請求項１乃至１１のうちいずれか一項記載の超音波診断装置又は超音波画像処理装置。
【請求項１３】
コンピュータに、
周期的に運動する心臓を超音波で走査し、前記周期的運動に関する時相毎に取得されたボリュームデータのうち、所定時相におけるボリュームデータに含まれる心筋組織に対応する領域に、少なくとも一つの短軸断面を設定する設定機能と、
前記少なくとも一つの短軸断面に心筋組織に対応した複数の関心領域を設定し、前記各関心領域についての位置の時間的変化を追跡する追跡処理を実行し、前記複数の関心領域それぞれの追跡結果を用いて前記短軸断面の位置を更新することで前記所定の時相以外における前記短軸断面の位置を追跡する追跡機能と、
前記ボリュームデータのうち、前記所定の時相以外における前記短軸断面に対応するデータを用いて、前記所定の時相以外における第１の超音波画像を生成する画像生成手段と、
前記第１の超音波画像を表示する表示機能と、
を実現させることを特徴とする超音波画像処理プログラム。
【手続補正２】
【補正対象書類名】明細書
【補正対象項目名】００１０
【補正方法】変更
【補正の内容】
【００１０】
本実施形態に係る超音波診断装置又は超音波画像処理装置は、周期的に運動する被検体の心臓を超音波で走査し、前記周期的運動に関する時相毎に取得されたボリュームデータを記憶する記憶手段と、前記ボリュームデータのうち、所定時相におけるボリュームデータに含まれる心筋組織に対応する領域に、少なくとも一つの短軸断面を設定する設定手段と、前記少なくとも一つの短軸断面に心筋組織に対応した複数の関心領域を設定し、前記各関心領域についての位置の時間的変化を追跡する追跡処理を実行し、前記複数の関心領域それぞれの追跡結果を用いて前記短軸断面の位置を更新することで前記所定の時相以外における前記短軸断面の位置を追跡する追跡手段と、前記ボリュームデータのうち、前記所定の時相以外における前記短軸断面に対応するデータを用いて、前記所定の時相以外における第１の超音波画像を生成する画像生成手段と、前記第１の超音波画像を表示する表示手段と、を具備することを特徴とする。
本実施形態に係る超音波画像処理プログラムは、コンピュータに、周期的に運動する心臓を超音波で走査し、前記周期的運動に関する時相毎に取得されたボリュームデータのうち、所定時相におけるボリュームデータに含まれる心筋組織に対応する領域に、少なくとも一つの短軸断面を設定する設定機能と、前記少なくとも一つの短軸断面に心筋組織に対応した複数の関心領域を設定し、前記各関心領域についての位置の時間的変化を追跡する追跡処理を実行し、前記複数の関心領域それぞれの追跡結果を用いて前記短軸断面の位置を更新することで前記所定の時相以外における前記短軸断面の位置を追跡する追跡機能と、前記ボリュームデータのうち、前記所定の時相以外における前記短軸断面に対応するデータを用いて、前記所定の時相以外における第１の超音波画像を生成する画像生成手段と、前記第１の超音波画像を表示する表示機能と、を実現させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】０１０５
【補正方法】削除
【補正の内容】
【手続補正７】
【補正対象書類名】明細書
【補正対象項目名】０１０７
【補正方法】削除
【補正の内容】
【手続補正８】
【補正対象書類名】明細書
【補正対象項目名】０１０８
【補正方法】削除
【補正の内容】